(57)【要約】【課題】防虫対策と同時に防寒対策用として利用でき、しかも植木鉢への装脱が容易で、頻繁に装脱することができ、更には、植物の管理上も有効な植物用カバー並びに植木鉢用カバーを提供することを課題とする。【解決手段】不織布等で袋状又はスリーブ状に形成した包被体１の開口部４に伸縮ゴム６を配し、該開口部４を伸縮開閉可能にして成る。好ましくは、前記包被体１は、縦方向に延びる筋材、あるいは、リブの如きに硬化処理部を複数配設したものとし、また、異なった色に彩色した複数種のものを用意することとし、また、包被体に遮光性を持たせることとする。【選択図】        図１
2004236656.tif 000002
【特許請求の範囲】
【請求項１】
不織布、プラスチックフィルムその他適宜資材製で袋状又はスリーブ状に形成した包被体の開口部に伸縮ゴムを配し、該開口部を伸縮開閉可能にして成る保護カバー。
【請求項２】
前記包被体をスリーブ状とし、その一方の開口部に伸縮ゴムを配すると共に他方の開口部に締結紐を配した請求項１に記載の保護カバー。
【請求項３】
前記包被体に縦方向に延びる筋材を複数配設した請求項１又は２に記載の保護カバー。
【請求項４】
前記包被体に縦方向に延びる硬化処理部を複数配設した請求項１又は２に記載の保護カバー。
【請求項５】
前記包被体に適宜粘着部を設けた請求項１乃至４のいずれかに記載の保護カバー。
【請求項６】
円形その他適宜形状の不織布、プラスチックフィルムその他適宜資材製シートの周縁に、引絞り紐を並縫い状態に配備して成る保護カバー。
【請求項７】
前記引絞り紐の両端を結着した請求項６に記載の保護カバー。
【請求項８】
前記引絞り紐の両端結着部に、紐ストッパーを取り付けた請求項７に記載の保護カバー。
【請求項９】
周縁に手提げ部を突設した請求項６乃至８のいずれかに記載の保護カバー。
【請求項１０】
四角形その他適宜形状の不織布、プラスチックフィルムその他適宜資材製シートの端縁部に適宜面ファスナーを定着した保護カバー。
【請求項１１】
不織布、プラスチックフィルムその他適宜資材製シートに適宜間隔置きに差込棒を定着した保護カバー。
【請求項１２】
前記差込棒の上方及び／又は下方を前記シートから突出させた請求項１１に記載の保護シート。
【請求項１３】
前記包被体又はシートに防虫剤を含浸させた請求項１乃至１２のいずれかに記載の保護カバー。
【請求項１４】
前記包被体又はシートに適宜通気孔を設けた請求項１乃至１３のいずれかに記載の保護カバー。
【請求項１５】
前記包被体又はシートとして異なる色や模様に彩色された複数種のものが用意された請求項１乃至１４のいずれかに記載の保護カバー。
【請求項１６】
前記包被体又はシートに遮光性を持たせた請求項１乃至１５のいずれかに記載の保護カバー。
【発明の詳細な説明】
【技術分野】
【０００１】
本発明は保護カバー、より詳細には、一般家庭又はガーデニングショップ等において、鉢（プランターを含む）植えされた観葉植物、花、野菜等の植物に、育成保護並びに搬送時の保護等の目的で被装したり、一般商品を簡易に包装したりする保護カバーに関するものである。
【背景技術】
【０００２】
近時、ガーデニングがブームで、戸建て住宅、マンション等を問わず、多くの家庭で観葉植物や花を室内やベランダ等に置いて観賞するようになってきている。これらの観葉植物や花は、多くの場合植木鉢やプランターに植えて育てるが、その成長のためには、適切な水やりは勿論のこと、防寒対策や防虫対策等を十分に施す必要がある。
【０００３】
従来、害虫の発生や鉢内への出入りを防止するための、不織布を用いた植木鉢用防虫カバーが知られている（特開２０００−２７０６８３号公報）。これは、少なくとも一部に親水性繊維を含有した不織布製カバー体であって、植物を露出させて、底面を含めた植木鉢全体及び上面の土壌全面を包被するようにしたものである。
【特許文献１】特開２０００−２７０６８３号公報
【０００４】
この植木鉢用防虫カバーは袋状を呈していて、その中に植木鉢を収納した後、カバー上縁を植物の幹の回りで紐等の止着具で止着して、植木鉢全体及び上面の土壌全面を閉塞するものであり、あくまで植木鉢内、換言すれば、土壌内に害虫が入り込むことを防止するためのもので、植物は露出状態となる。従って、このカバーを以てしては、植物の寒さ及び暑さ対策や遮光対策とはならない。
【０００５】
また、このカバーは上縁を止着具で止着するものであって、その止着及び解放作業は煩わしいので、植木鉢を頻繁に出し入れするには適さない。更に、このカバーの場合は、植物が露出状態となるため、植物に防虫剤や栄養剤を噴霧する場合の飛散防止には、何ら役に立たない。
【０００６】
また、商品の包装は一般に、包装紙で包被してテープ止めしたり、フロシキの如きもので包んで結着したりするが、手間がかかる。
【発明の開示】
【発明が解決しようとする課題】
【０００７】
上述したように、従来知られている植木鉢用防虫カバーは、防虫対策用であって防寒防暑用ではなく、植木鉢を一度包被した後、頻繁に出し入れするに適さず、また、液剤噴霧に際して飛散を防止することを想定した構成とはなっていない。
【０００８】
そこで本発明は、防虫対策と同時に防寒対策用として利用でき、しかも植木や植木鉢への装脱が容易で、頻繁に装脱することができ、更には、植物の管理上も有効な植物、植木鉢等用保護カバーを提供することを課題とする。
【０００９】
また、一般商品の包装紙やフロシキ等による包装には手間がかかっていたので、本発明は、簡単迅速に見栄えよく商品を包被することができる包装用の保護カバーを提供することを課題とする。
【課題を解決するための手段】
【００１０】
上記課題を解決するための本発明に係る保護カバーは、不織布、プラスチックその他適宜資材製で袋状又はスリーブ状に形成した包被体の開口部に伸縮ゴムを配し、該開口部を伸縮開閉可能にして成る。
【００１１】
前記包被体は、縦方向に延びる筋材、あるいは、リブの如きに硬化処理部を複数配設したものとすることができ、また、前記包被体に適宜粘着部を設けることもある。
【００１２】
上記課題を解決するための本発明に係る保護カバーは、円形その他適宜形状の不織布、プラスチックフィルその他適宜形状のシートの周縁に、引絞り紐を並縫い状態に配備して成る。通例、前記引絞り紐の両端は、結着し、好ましくはその結着部に紐ストッパーを取り付け、また、周縁に手提げ部を突設する。
【００１３】
上記課題を解決するための本発明に係る包被用カバーは、四角形その他適宜形状の不織布、プラスチックフィルムその他適宜資材製シートの端縁部に適宜面ファスナーを定着して成る。
【００１４】
上記課題を解決するための本発明に係る保護カバーは、不織布、プラスチックフィルムその他適宜資材製シートに適宜間隔置きに差込棒を取り付けて成り、好ましくは、前記差込棒の上方及び／又は下方を前記シートから突出させる。
【００１５】
上記包被体又はシートに防虫剤を含浸させたり、通気孔を設けたりすることがあり、また、異なった色に彩色した複数種のものを用意することとしてもよく、更に、遮光性を持たせることもできる。
【発明の効果】
【００１６】
本発明においては、植物及び植木鉢に対する被装及び取外しが容易で、防虫及び防寒効果、並びに、植物の生育を促進し得る効果があり、また、スプレーした防虫剤等の飛散を防止し得る効果があり、更に、植木鉢等に装飾効果を与えると共に、害虫類の土中への侵入を阻止し得る効果がある。
【００１７】
殊に、請求項３、１１及び１２に記載の発明においては、包被体に保形性を持たせ得る効果があり、請求項１５に記載の発明においては、多数の植木等を色分けにより区分け管理することが可能となる効果がある。
【００１８】
更に、本発明に係る保護カバーは、野菜や果物等を冷蔵庫に入れる際の収納袋として利用することができ、その場合、野菜くず等が庫内に落ちて庫内を汚すこと等を防止でき、庫内を清潔に保持し得る効果がある。
【００１９】
更に、請求項１０に記載の発明においては、商品の包装を何人も簡単、迅速且つ見栄えよく行ない得る効果がある。
【発明を実施するための最良の形態】
【００２０】
本発明の実施の形態を添付図面に依拠して説明する。本発明に係る保護カバーの第１の形態は、基本的には、袋状又はスリーブ状に形成した不織布又はプラスチックフィルム製包被体１の開口部４に、伸縮ゴム６を配することにより、開口部４を伸縮開閉自在にして成る。スリーブ状とする場合は、開口部４が包被体１の両側に存在することになり、少なくともその一方に伸縮ゴム６が取り付けられる。
【００２１】
図１及び図２に示す第１の実施形態は、開口部４を１つ有する袋状の包被体１の側面に、縦方向に延びるチューブ状の挿通部７を複数形成し、その挿通部７にプラスチック、ゴム、木、又は、金属（好ましくは、形状記憶合金）製の細棒材、あるいは、針金をビニールテープで挟んだ所謂ビニタイ等の筋材８を挿入し、包被体１をドーム状に保形可能にしたものである。挿通部７は、ストロー加工、即ち、包被体１をヒダ折りした後、ヒートシールする等して形成することができる。
【００２２】
この保護カバーは、開口部４に両手を差し入れて開口部４を広げながら、鉢植えされた植物から植木鉢９の中程にかけて被せる。かくして植物は包被体１に被覆されるので、害虫等が寄り付かず、また、不織布製の包被体１を通して空気が通流するので、寒気が和らげられる。包被体１は筋材８によってドーム状に広げられるので、葉や花に接触してその成育を妨げることはない。注水や観賞等に際して包被体１を外す操作は、開口部４を広げて引上げるだけでよいので、非常に簡単に行うことができる。包被体１が薄手の場合は、必要に応じて複数枚重ねて使用することもできる。
【００２３】
包被体１は、異なる色や模様に彩色した複数種のものを用意することが好ましい。その場合は、見た目がよくなるだけでなく、植物の種類によって色分けしたり、ある植物の成育程度によって色分けしたりすることが可能となるので、カバーをしたまま植物を管理したり、分別したりするために利用することが可能となる。
【００２４】
また、包被体１は不織布製の場合、任意の厚さにしたり、濃色に仕上げることは容易である。従って、包被体１を比較的厚手にし、また、濃色にすれば、遮光効果を発揮させることができるので、夏期等の日差しの強いときに用いるのに好適なものとなる（以下の実施形態においても同様）。
【００２５】
更に、不織布製包被体１の場合、霧状物の通過をある程度阻止することができる。従って、室内でカバー内に防虫剤等を噴霧しても、飛散することがないので、健康障害の問題を起こすことがなく、防虫効果を高めることができる。また、包被体１自体に、予め防虫剤を含浸させておくこともできる（以下の実施形態においても同様）。
【００２６】
図３及び図４に示す第２の実施形態は、上記第１の実施形態の挿通部７及び筋材８の代わりに、リブの如きに硬化処理部１０を設けたものである。硬化処理部１０は、例えば、包被体１をヒダ折りして接着剤等によって硬化させたもので、この硬化処理部１０が筋材８と同様に保形作用を果たす。この場合の使用方法及び作用効果は、上記第１の実施形態の場合と同じである。
【００２７】
図５及び図６は第３の実施形態を示すもので、それは、上記第１及び第２の実施形態において、包被体１を、開口部４を２つ有するスリーブ状に形成したものである。この場合、両方の開口部４に伸縮ゴム６を配することが多いが（図５参照）、一方を伸縮ゴム６とし、他方を締結紐６ａとすることもある。この場合締結紐６ａの方を下にし、植木鉢９を強く縛ることにより、カバーがずれ上がることを防止することができる。
【００２８】
包被体１には、上記の場合と同様に保形性を持たせるために、筋材８を配設し、あるいは、硬化処理部１０を設けることもあるが、これらを設けずに、植木鉢９の土に適宜形状の支持枠１３を立て、包被体１を支持枠１３から植木鉢９の上部にかけて被せることとしてもよい（図５及び図６参照）。
【００２９】
この実施形態の場合は、上方に開口ができるために防虫対策の面では劣るが、包被体１を被装したまま、上方の開口から注水したり、防虫剤を散布ないし噴霧したり、あるいは、施肥したりすることができる利点がある。
【００３０】
図７及び図８は第４の実施形態を示すもので、それは、包被体２をポリエチレン、ポリプロピレン、オレフィン、ペット等のポリマー樹脂のフィルムで袋状又はスリーブ状（図示した例は袋状）に構成し、その１つ又は２つの開口部４に伸縮ゴム６を配することにより、開口部４を伸縮開閉可能にしたものである。包被体２には、手挿入孔１１を１又は複数形成することがある(図５参照)。また、手挿入孔１１と共に、あるいは、手挿入孔１１を設けることなく、多数の通気用小孔１２を設けることもある(図８参照)。
【００３１】
この第４の実施形態の場合の包被体２は保形性に欠けるため、上記の場合と同様に、植木鉢９の土に、適宜形状の支持枠１３を立て、支持枠１３から植木鉢９の上部にかけ、開口部４を広げて包被体２を被せる。図７に示す実施形態の場合は、手挿入孔１１から手を挿し入れて、注水したり、施肥したり、防虫剤を噴霧したりすることができる。
【００３２】
図９乃至図１１は、本発明に係る保護カバーの第５の実施形態として植木鉢用としたもので、該カバーは、不織布で袋状又はスリーブ状(図示した例は袋状)に構成した包被体３の開口部４に伸縮ゴム６を配することにより、開口部４を伸縮開閉自在にして成る。
【００３３】
包被体３には、適宜粘着部１５を設けることが好ましい。例えば粘着部１５は、点状に散在させたり(図１０)、テープ状に巻回させたり(図９)して設ける。通例、粘着部１５には剥離紙を被着させておき、使用時に剥離紙を剥取するようにする。
【００３４】
この植木鉢用カバーは、植木鉢９の内側に装入し(図９)、あるいは、開口部４を広げて植木鉢９を包み込む(図１１)。
【００３５】
内側に装入する場合は、包被体３の上部を植木鉢９の上端部をくるむようにして外側に折り返せば、伸縮ゴム６の作用で包被体３の上部が、植木鉢９の上端部に確固と保持される。その状態で包被体３内に土等を入れる。粘着部１５を設けた場合は、粘着部１５を外側にして包被体３を装入することにより植木鉢９の内側面に粘着することができ、そのようにした場合は鉢内において包被体３が安定し、上記折り返しや土入れ作業がやり易くなる。
【００３６】
植木鉢９を包み込む場合は、開口部４を広げて植木鉢９を挿入し、包被体３の上部を植木鉢９上に引上げて離せば、開口部４は、伸縮ゴム６の作用で窄まる。また、植木鉢９を取り出す際も、開口部４を広げることによって容易に行うことができる。粘着部１５を設けた場合は、粘着部１５を内側にした状態で植木鉢９を収納することにより、植木鉢９の外側面に粘着することができるので、包被体３を安定させることができる。
【００３７】
以上いずれの場合にも、包被体３があるため、植木鉢９の底からの害虫類の侵入を阻止することができる。
【００３８】
以上いずれの実施形態の場合においても、該カバーを、野菜や果物等を冷蔵庫にしまう際の収納袋として活用することができる。その場合、野菜くず等が庫内に落下残存して庫内を汚すことを防止することができる。
【００３９】
図１２に示す保護カバーは、円形その他適宜形状の不織布、プラスチックフィルム等のシート１７の周縁に、引絞り紐１８を並縫い状態に通すことにより構成される。引絞り紐１８の両端は解放状態にしておいてもよいが、抜け防止のために、通例結着される。そして、結着部にバネ式の紐ストッパー１９を取り付けることもある。また、シート１７の周縁部に、環状の手提げ部２０を突設することもある。
【００４０】
この保護カバーの場合、シート１７を拡げ、その中央部に植木鉢等の包被すべきものを置き（図１３（Ａ））、シート１７の端縁を持ち上げて引絞り紐１８を引絞る（図１３（Ａ）、図１４）。引絞り紐１８の端部は、緩み止めのために結んでおく。紐ストッパー１９があるときは、それを利用して引絞り状態を保持する。
【００４１】
図１５に示す包被用カバーは、四角形その他適宜形状の不織布、プラスチックフィルム等のシート２１の端縁部に、適宜面ファスナー２２を定着して構成される。
【００４２】
この保護カバーの場合、シート２１を拡げてその中央部に包被する商品を置き、面ファスナー２２部分が最後に残るようにしてくるみ（図１６（Ａ））、最後に残った面ファスナー２２部分を折り重ね、面ファスナー２２を不織布シート２１に押し付けて係着させる（図１６（Ｂ））。
【００４３】
図１７乃至図１９に示す実施形態は、不織布、プラスチックフィルムその他適宜資材製のシート２３に、適宜間隔置きに差込棒２４を定着したものである。シート２３がプラスチックフィルム等の場合は、必要に応じ、通気性を向上させるための小孔２５を多数配設する（図１７（Ｂ））。普通差込棒２４は、その上方部及び／又は下方部をシート２３から突出させる。
【００４４】
この実施形態の場合は、植物等の被覆対象物をシート２３で囲み、差込棒２４を地中に差込むだけでよい。その場合、上方を窄ませたり（図１８（Ａ））、あるいは、下方を窄ませたり（図１８（Ｂ））することができる。また、この保護カバーは、花壇や畑等において用いることができると共に（図１８）、鉢植えに用いることもできる（図１９）。
【図面の簡単な説明】
【００４５】
【図１】本発明に係る保護カバーの第１の実施形態の使用状態図である。
【図２】図１におけるＡ−Ａ線断面図及び円Ｃ部分の拡大図である。
【図３】本発明に係る保護カバーの第２の実施形態の使用状態図である。
【図４】図３におけるＢ−Ｂ線断面図及び円Ｄ部分の拡大図である。
【図５】本発明に係る植物包被用保護カバーの第３の実施形態の使用状態図である。
【図６】本発明に係る植物包被用保護カバーの第３の実施形態の他の使用状態図である。
【図７】本発明に係る植物包被用保護カバーの第４の実施形態の使用状態図である。
【図８】本発明に係る植物包被用保護カバーの第４の実施形態の他の使用状態図である。
【図９】本発明に係る植木鉢包被用保護カバーの実施形態を示す図である。
【図１０】本発明に係る植木鉢包被用保護カバーの他の実施形態の使用状態図である。
【図１１】図９に示す実施形態の使用状態図である。
【図１２】本発明に係る保護カバーの他の実施形態を示す図である。
【図１３】図１２に示す保護カバーの使用状態を示す図である。
【図１４】図１２に示す保護カバーの他の使用状態を示す図である。
【図１５】本発明に係る保護カバーの更に他の実施形態を示す図である。
【図１６】図１５に示す保護カバーの使用状態を示す図である。
【図１７】本発明に係る保護カバーの更に他の実施形態を示す図である。
【図１８】図１７に示す保護カバーの使用例を示す図である。
【図１９】図１７に示す保護カバーの他の使用例を示す図である。
【符号の説明】
【００４６】
１    包被体
２    包被体
３    包被体
４    開口部
５    開口部
６    伸縮ゴム
６ａ  締結紐
７    挿通部
８    筋材
９    植木鉢
１０    硬化処理部
１１    手挿入孔
１２    通気用小孔
１３    支持枠
１５    粘着部
１７    シート
１８    引絞り紐
１９    紐ストッパー
２１    シート
２２    面ファスナー
２３    シート
２４    差込棒
２５    小孔
【図１】
2004236656.tif 000003
【図２】
2004236656.tif 000004
【図３】
2004236656.tif 000005
【図４】
2004236656.tif 000006
【図５】
2004236656.tif 000007
【図６】
2004236656.tif 000008
【図７】
2004236656.tif 000009
【図８】
2004236656.tif 000010
【図９】
2004236656.tif 000011
【図１０】
2004236656.tif 000012
【図１１】
2004236656.tif 000013
【図１２】
2004236656.tif 000014
【図１３】
2004236656.tif 000015
【図１４】
2004236656.tif 000016
【図１５】
2004236656.tif 000017
【図１６】
2004236656.tif 000018
【図１７】
2004236656.tif 000019
【図１８】
2004236656.tif 000020
【図１９】
2004236656.tif 000021